(57)【要約】【課題】背もたれ部を後方にリクライニングさせた際であっても、使用者の手及び／又は前腕のマッサージ部から離脱することを防ぎ、使用者の手及び／又が前腕のマッサージと背部のマッサージを同時に行うことが可能な椅子型マッサージ機を提供する。【解決手段】本発明の椅子型マッサージ機１は、座部２と、座部２の左右両側に設けられた肘掛け部３と、肘掛け部３の後方に向かって開口する開口部７を有すると共に開口部７から前方に向かって挿し込まれた手Ｗ及び／又は前腕Ｖのマッサージを可能とする腕マッサージ部５と、座部２の後側に設けられた背もたれ部４とを有し、腕マッサージ部５は、肘掛け部３内に収容されている格納位置から、肘掛け部３の上方に突出し且つ後方側に移動した位置であって、開口部７からの手Ｖ及び／又は前腕Ｗの挿し込みが可能とされる第１マッサージ位置に移動するように構成されている。【選択図】図１
2015016158.tif 000002
【特許請求の範囲】
【請求項１】
座部と、当該座部の左右方向の両側に前後方向に伸びるように設けられる肘掛け部と、前記肘掛け部の後方に向かって開口する開口部を有すると共に当該開口部から前方に向かって挿し込まれた手及び／又は前腕のマッサージを可能とする腕マッサージ部と、前記座部の後側に設けられた背もたれ部と、を有する椅子型マッサージ機において、
前記腕マッサージ部は、前記肘掛け部内に収容されている格納位置から、前記肘掛け部の上方に突出し且つ後方側に移動した位置であって、前記開口部からの手及び／又は前腕の挿し込みが可能とされる第１マッサージ位置に移動するように構成されている
ことを特徴とする椅子型マッサージ機。
【請求項２】
前記腕マッサージ部は、
前記格納位置から前記肘掛け部の上方に突出して、前記開口部からの手及び／又は前腕の挿し込みが可能とされる第２マッサージ位置と、
前記第２マッサージ位置から後方に移動して、前記開口部からの手及び／又は前腕の挿し込みが可能とされる第１マッサージ位置と、の間で移動自在とされている
ことを特徴とする請求項１に記載の椅子型マッサージ機。
【請求項３】
前記腕マッサージ部は、当該腕マッサージ部の先端部が回動自在に枢支されていて、当該腕マッサージ部が枢支された軸心回りに上下揺動可能とされている
ことを特徴とする請求項１又は２に記載の椅子型マッサージ機。
【請求項４】
前記腕マッサージ部は、連結部材を介して前記肘掛け部に連結されていて、
前記連結部材は、一方側端部が前記腕マッサージ部の先端部に左右方向軸心周りに揺動自在に枢支されると共に他方側端部が前記肘掛け部に左右方向軸心周りに揺動自在に枢支されている
ことを特徴とする請求項１〜３のいずれかに記載の椅子型マッサージ機。
【請求項５】
前記連結部材の一方側端部に対する腕マッサージ部の揺動により、前記腕マッサージ部が格納位置から第２マッサージ位置へと移行し、
前記連結部材の他方側端部に対する腕マッサージ部の揺動により、前記腕マッサージ部が第２マッサージ位置から第１マッサージ位置へと移行し、
前記連結部材の一方端側及び他方側端部に対する腕マッサージ部の揺動により、前記腕マッサージ部が格納位置から第１マッサージ位置へと移行するように構成されていることを特徴とする請求項４に記載の椅子型マッサージ機。
【請求項６】
前記腕マッサージ部が格納位置にあるとき、前記連結部材の一方側端部は、他方側端部よりも前方に存在することを特徴とする請求項４又は５に記載の椅子型マッサージ機。
【請求項７】
座部と、当該座部の左右方向の両側に前後方向に伸びるように設けられる肘掛け部と、前記肘掛け部の後方に向かって開口する開口部を有すると共に当該開口部から前方に向かって挿し込まれた手及び／又は前腕のマッサージを可能とする腕マッサージ部と、前記座部の後側に設けられた背もたれ部と、を有する椅子型マッサージ機において、
前記腕マッサージ部は、前記肘掛け部内に収容されている格納位置から、前記肘掛け部内の後方側に移動した位置であって、前記開口部からの手及び／又は前腕の挿し込みが可能とされる第３マッサージ位置に移動するように構成されている
ことを特徴とする椅子型マッサージ機。
【請求項８】
前記格納位置における腕マッサージ部の開口部に対面する肘掛け部には、当該開口部より後方が切り取られてなる切り欠き部が形成されている
ことを特徴とする請求項７に記載の椅子型マッサージ機。
【発明の詳細な説明】
【技術分野】
【０００１】
本発明は、肘掛け部に腕マッサージ部を備えた椅子型マッサージ機に関する。
【背景技術】
【０００２】
周知の如く、椅子型マッサージ機の技術分野においては、使用者の腕をマッサージ可能な腕マッサージ部を備えたものが既に開発されている。
例えば、特許文献１には、使用者の腕をマッサージ可能な腕マッサージ部を肘掛け部の上方に設けた椅子型マッサージ機が開示されている。この腕マッサージ部は、肘掛け部に沿った方向に軸心が向く半円筒状に形成されたケーシングの内側にエアバッグで構成されたマッサージ部を備えており、エアバッグ式のマッサージ部を膨らましたり縮めたりすることでケーシングの内側に挿し込まれた使用者の腕をマッサージ可能となっている。
【０００３】
とはいえ、椅子型マッサージ機では、マッサージを受ける使用者がすべて腕のマッサージを希望するわけではない。例えば、使用者によっては、腕のマッサージを受けずに肩や腰のマッサージだけを希望する場合もあり、その場合は当然肘掛け部に腕をのせてマッサージを受けることになる。ところが、特許文献１の椅子型マッサージ機のように腕マッサージ部が肘掛け部の上側に固定されていると、肘掛け部に腕を載せたり載せた腕を伸ばしたりする際に腕マッサージ部が邪魔になるため、リラックスした姿勢を取ることができないという問題があり、リラックスした姿勢を取るためのスペースを肘掛け部に確保することができる新たな技術が必要であった。
【０００４】
そのため、特許文献２に示す如く、椅子型マッサージ機の肘掛け部内に腕マッサージ部を格納する技術を本願出願人は既に開発している。
すなわち、特許文献２には、座部と、座部の左右方向の両側に前後方向に伸びるように設けられる肘掛け部と、座部の後側に設けられた背もたれ部とを備えた椅子型マッサージ機において、前記肘掛け部には、当該肘掛け部の後方に向かって開口する開口部を有すると共に、当該開口部から前方に向かって挿し込まれた腕のマッサージを可能とする腕マッサージ部が設けられており、前記腕マッサージ部は、肘掛け部内に収容されて開口部からの腕の挿し込みが規制される格納位置と、前記肘掛け部の上方に突出して開口部からの腕の挿し込みが可能とされるマッサージ位置との間で、上下方向に移動自在とされている椅子型マッサージ機が開示されている。
【先行技術文献】
【特許文献】
【０００５】
【特許文献１】特開２００４−２１６１２０号公報（図１）
【特許文献２】特開２０１１−２３４７８３号公報
【発明の概要】
【発明が解決しようとする課題】
【０００６】
特許文献２の技術は、特許文献１の難点を克服する画期的なものであり、特許文献２に開示された椅子型マッサージ機によれば、使用者は、腕マッサージ部を用いて腕に対する効果的なマッサージを施術できるものとなる。さらには、腕マッサージ部の非使用時には、当該腕マッサージ部は、肘掛け部内に収納され、見栄えがよいものとなっている。
しかしながら、特許文献１の難点を克服すると考えられる特許文献２の技術にも、以下に述べるような若干の問題点が存在することが知見された。
【０００７】
すなわち、特許文献２の椅子型マッサージ機においては、腕マッサージ部で使用者の手及び／又は前腕のマッサージを行うと同時に、背もたれ部を後方にリクライニングさせて使用者の背部のマッサージを行うことができない状況が発生する点である。例えば、使用者が腕マッサージ部で手及び／又は前腕のマッサージを行っているときに、背もたれ部を後方にリクライニングさせると、マッサージを行っている使用者の手及び／又は前腕が腕マッサージ部から抜け出てしまうことがあり、リクライニング状態において、使用者の手及び／又は前腕のマッサージと使用者の背部のマッサージを同時に行うことができない。
【０００８】
そこで、本発明は、上述の問題に鑑みてなされたものであり、背もたれ部を後方にリクライニングさせた際であっても、挿し込まれた使用者の手及び／又は前腕がマッサージ部から離脱することを防ぎ、使用者の手及び／又が前腕のマッサージと使用者の背部のマッサージを同時に行うことが可能な椅子型マッサージ機を提供することを目的とする。
【課題を解決するための手段】
【０００９】
上述した課題を解決するため、本発明では以下の技術的手段を講じている。
本発明に係る椅子型マッサージ機は、座部と、当該座部の左右方向の両側に前後方向に伸びるように設けられる肘掛け部と、前記肘掛け部の後方に向かって開口する開口部を有すると共に当該開口部から前方に向かって挿し込まれた手及び／又は前腕のマッサージを可能とする腕マッサージ部と、前記座部の後側に設けられた背もたれ部と、を有する椅子型マッサージ機において、前記腕マッサージ部は、前記肘掛け部内に収容されている格納位置から、前記肘掛け部の上方に突出し且つ後方側に移動した位置であって、前記開口部からの手及び／又は前腕の挿し込みが可能とされる第１マッサージ位置に移動するように構成されていることを特徴とする。
【００１０】
好ましくは、前記腕マッサージ部は、前記格納位置から、前記肘掛け部の上方に突出して、前記開口部からの手及び／又は前腕の挿し込みが可能とされる第２マッサージ位置と、前記第２マッサージ位置から後方に移動して、前記開口部からの手及び／又は前腕の挿し込みが可能とされる第１マッサージ位置との間で移動自在とされているとよい。
好ましくは、前記腕マッサージ部は、当該腕マッサージ部の先端部が回動自在に枢支されていて、当該腕マッサージ部が枢支された軸心回りに上下揺動可能とされているとよい。
【００１１】
好ましくは、前記腕マッサージ部は、連結部材を介して前記肘掛け部に連結されていて、前記連結部材は、一方側端部が前記腕マッサージ部の先端部に左右方向軸心周りに揺動自在に枢支されると共に他方側端部が前記肘掛け部に左右方向軸心周りに揺動自在に枢支されているとよい。
好ましくは、前記連結部材の一方側端部に対する腕マッサージ部の揺動により、前記腕マッサージ部が格納位置から第２マッサージ位置へと移行し、前記連結部材の他方側端部に対する腕マッサージ部の揺動により、前記腕マッサージ部が第２マッサージ位置から第１マッサージ位置へと移行し、前記連結部材の一方端側及び他方側端部に対する腕マッサージ部の揺動により、前記腕マッサージ部が格納位置から第１マッサージ位置へと移行するように構成されているとよい。
【００１２】
好ましくは、前記腕マッサージ部が格納位置にあるとき、前記連結部材の一方側端部は、他方側端部よりも前方に存在するとよい。
本発明に係る椅子型マッサージ機は、座部と、当該座部の左右方向の両側に前後方向に伸びるように設けられる肘掛け部と、前記肘掛け部の後方に向かって開口する開口部を有すると共に当該開口部から前方に向かって挿し込まれた手及び／又は前腕のマッサージを可能とする腕マッサージ部と、前記座部の後側に設けられた背もたれ部と、を有する椅子型マッサージ機において、前記腕マッサージ部は、前記肘掛け部内に収容されている格納位置から、前記肘掛け部内の後方側に移動した位置であって、前記開口部からの手及び／又は前腕の挿し込みが可能とされる第３マッサージ位置に移動するように構成されている。
【００１３】
好ましくは、前記格納位置における腕マッサージ部の開口部に対面する肘掛け部には、当該開口部より後方が切り取られてなる切り欠き部が形成されているとよい。
【発明の効果】
【００１４】
本発明に係る椅子型マッサージ機によれば、背もたれ部を後方にリクライニングさせた際であっても、挿し込まれた使用者の手及び／又は前腕がマッサージ部から離脱することを防ぎ、使用者の手及び／又が前腕のマッサージと使用者の背部のマッサージを同時に行うことができる。
【図面の簡単な説明】
【００１５】
【図１】（ａ）は、本発明の椅子型マッサージ機の腕マッサージ部が格納位置にある場合を示す斜視図であり、（ｂ）は、本発明の椅子型マッサージ機の腕マッサージ部が第１マッサージ位置にある場合を示す斜視図である。
【図２】本発明の椅子型マッサージ機の腕マッサージ部に、手と前腕を挿し込んで腕のマッサージを行う態様を示す図である。
【図３】（ａ）は、腕マッサージ部が格納位置にある場合を示す側方断面図であり、（ｂ）は、腕マッサージ部が第２マッサージ位置にある場合を示す側方断面図であり、（ｃ）は、腕マッサージ部が第１マッサージ位置にある場合を示す側方断面図である。
【図４】（ａ）は、腕マッサージ部が格納位置にある場合を示す側方断面図であり、（ｂ）は、腕マッサージ部が第３マッサージ位置にある場合を示す側方断面図であり、（ｃ）は、腕マッサージ部が第１マッサージ位置にある場合を示す側方断面図である。
【図５】（ａ）は、腕マッサージ部が格納位置にある場合を示す側方断面図であり、（ｂ）は、腕マッサージ部が第３マッサージ位置にある場合を示す側方断面図であり、（ｃ）は、腕マッサージ部が第１マッサージ位置にある場合を示す側方断面図である。
【発明を実施するための形態】
【００１６】
以下、本発明にかかる椅子型マッサージ機の第１実施形態について、図に基づいて説明する。
［第１実施形態］
図１に示すように、第１実施形態の椅子型マッサージ機１は、座部２と、座部２の左右方向の両側に前後方向に伸びるように設けられる肘掛け部３と、座部２の後側に設けられた背もたれ部４とを備えている。また、肘掛け部３には腕のマッサージを可能とする腕マッサージ部５が設けられており、この腕マッサージ部５は肘掛け部３に対して上方に突出し且つ後方側に移動自在とされている。
【００１７】
以下、図１（ａ）に示す如く、第１実施形態の椅子型マッサージ機１に座った使用者（被マッサージ者）から見た前後方向を椅子型マッサージ機１を説明する際の前後方向と呼び、使用者から見た左右方向を椅子型マッサージ機１を説明する際の左右方向（幅方向）と呼ぶ。また、椅子型マッサージ機１に座った使用者から見た上下方向を椅子型マッサージ機１を説明する際の上下方向と呼ぶ。なお、使用者の施療部位に関しては、「腕」と呼ばれる部分のうち、手首から肘までを「前腕Ｖ」と呼び、手首から先の部分を「手Ｗ」と呼ぶ。
【００１８】
座部２は、使用者が着座可能なように平面視で矩形状に形成された部材であり、床面から上方に距離をあけて水平に座面が向くように取り付けられている。座部２の内部には使用者の体重を支持できるように図示しないフレーム部材が設けられており、また座部２の上面側にはクッション部材が配備されていて使用者に良好な座り心地を提供できるようになっている。座部２の左側と右側には肘掛け部３がそれぞれ設けられており、また座部２の下側には図示しないフットマッサージ部などを収容可能な空間が形成されている。
【００１９】
肘掛け部３は、床面に対して垂直に起立した板状の部材であって、座部２の左側と右側とに互いに距離をあけて且つ座部２に隣接するように配備されている。肘掛け部３は、座部２の左側に配備される左肘掛け部３Ｌと、座部２の右側に配備される右肘掛け部３Ｒとで構成されている。これらの左肘掛け部３Ｌ、及び右肘掛け部３Ｒはいずれも前後方向に伸びるように設けられており、またそれぞれの上面は前腕Ｖ及び手Ｗを載せて支障なく伸ばすことができるような幅を有すると共に前後方向になだらかに形成されている。
【００２０】
肘掛け部３の内部には、上下方向に向かって起立した支持フレーム６が設けられている。この支持フレーム６は、座部２のフレーム部材と直交状に連結固定されており、座部２に加わる使用者の体重を座部２のフレーム部材を介して支持できるようになっている。
背もたれ部４は、使用者が凭れ掛かれるように座部２の後側に設けられている。背もたれ部４は、座部２の後側の支持フレーム６に対して左右方向を向く水平軸周りに揺動自在に枢支されており、上下方向に沿って起立した起立姿勢と後方に向かってほぼ水平に倒れ込んだリクライニング姿勢との間で自由に傾斜できるようになっている。
【００２１】
図１、図２に示すように、第１実施形態の椅子型マッサージ機１には、使用者の手Ｗ及び／又は前腕Ｖを確実にマッサージできる腕マッサージ部５（上肢マッサージ部）を備えられている。この腕マッサージ部５は、肘掛け部３内に格納（内蔵）されるようになっており、肘掛け部３の上面に前腕Ｖ及び手Ｗを載置する際に、腕マッサージ部５が邪魔になることがないようになっている。
【００２２】
腕マッサージ部５は、前後方向に沿って長尺状に形成された部材であって、左肘掛け部３Ｌの上部に配備される左腕マッサージ部５Ｌと、左肘掛け部３Ｌの上部に配備される右腕マッサージ部５Ｒとで構成されている。
以下の説明では、左腕マッサージ部５Ｌに着目して構造を説明する。なお、右腕マッサージ部５Ｒは、左腕マッサージ部５Ｌを左右反転した構成となっている。
【００２３】
この左腕マッサージ部５Ｌの座部２側（幅方向内側）は、左肘掛け部３Ｌの幅方向内側に設けられた側板１２（遮蔽板）により、閉塞された状態となっている。左腕マッサージ部５Ｌの後端面には、左肘掛け部３Ｌの後方に向かって開口され、且つ手Ｗ及び前腕Ｖを前方に向かって挿し込むことができる開口部７が形成されている。
また、開口部７の左右方向の内側には、この開口部７に連通するように長細状に開口され、且つ座部２側からの手Ｗ及び／又は前腕Ｖの挿し込みを可能とする側方開口部８が形成されている。この側方開口部８は、左腕マッサージ部５Ｌが「格納位置」（図１（ａ）参照）にあるときに閉鎖され、且つ左腕マッサージ部５Ｌが「第１マッサージ位置」（図１（ｂ）参照）にあるときに側方開口部８が開口されるようになっている。なお、「格納位置」において、側方開口部８は、完全に閉鎖される必要はなく、その一部のみが閉鎖される構成であってもよい。左腕マッサージ部５Ｌに関する「格納位置」、「第１マッサージ位置」の詳細は、後述する。
【００２４】
左腕マッサージ部５Ｌの内部には、開口部７又は側方開口部８から挿し込まれた手Ｗ及び前腕Ｖを収容可能な収容部９が設けられている。収容部９は、開口部７が設けられた後面及び側方開口部８が設けられた幅方向内側以外（上面、下面、前面、幅方向の外側面）の面がすべて壁面で構成されていて、これらの壁面に囲まれている。収容部９の中途部〜後側の上面及び下面には第２エアバッグ１０（マッサージ用空気袋）が配備されており、収容部９に挿し込まれた使用者の前腕Ｖを押圧マッサージできるようになっている。
【００２５】
また、収容部９の前部（左腕マッサージ部５Ｌの先端部）には、挿し込まれた手Ｗを押圧マッサージするための手マッサージ部１３が設けられている。手マッサージ部１３には、第１エアバッグ１１（マッサージ用空気袋）が配備されており、収容部９に挿し込まれた手首から指先までの使用者の手Ｗをマッサージできるようになっている。
図１〜図３に示すように、手マッサージ部１３は、左腕マッサージ部５Ｌの先端部であって、幅方向外側の内壁に配備された第１エアバッグ１１と、この第１エアバッグ１１を側方から覆う覆い体１４とを有している。この手マッサージ部１３は、当該手マッサージ部１３の開口から前方に向かって挿し込まれた使用者の手Ｗを、その手の甲側に配備されている第１エアバッグ１１によってマッサージするものである。
【００２６】
第１エアバッグ１１は、左腕マッサージ部５Ｌの幅方向外側の内壁面に沿うように、上下方向にほぼ垂直に配備されていて、手の甲又は手Ｗと略同じ大きさの正方形状の面を有した平らな空気袋である。この第１エアバッグ１１から所定の間隔を空けると共に、対面する位置に可撓性を有する覆い体１４が配備されている。
なお、第１エアバッグ１１を、使用者の手のひら側（掌側）に配備するようにしてもよく、手の甲とひらの両側に配備してもよい。
【００２７】
図２、図３に示すように、覆い体１４は、可撓性を有する部材であって、左腕マッサージ部５Ｌの先端部であって幅方向内側に配備されている。すなわち、挿し込まれた手のひら（掌）に対面する部分に配置されている。覆い体１４は、手Ｗと略同じ大きさ（手のひら側の手Ｗ全体を覆う）又は手Ｗより少し大きさの正方形状の面を有した平らな部材である。この平らな形状の覆い体１４は、座部２に対して起立した状態で左腕マッサージ部５Ｌの側板１２に沿うように起立した状態で配備され、収容部９の前部に配設されている。
【００２８】
この側板１２には、使用者の太腿部を押圧マッサージするエアバックが配備されていてもよく、エアバックを単体で配備した上で、側板１２の役目を奏するように構成してもよい。
覆い体１４は、第１エアバッグ１１の膨張による手のひら（手Ｗ）の押し出しを受け止めるようになっている。この可撓性を有する覆い体１４が第１エアバッグ１１と対面するように配備されていることで、覆い体１４は第１エアバッグ１１の膨張によって押し出された手のひら（手Ｗ）を幅方向外側に向かって支持するようになり、第１エアバッグ１１による押圧マッサージの効果を確実なものとしている。
【００２９】
この覆い体１４は、合成皮革や布や合成繊維などの可撓性を有する伸縮部材で形成されており、第１エアバッグ１１の膨張によって幅方向内側に押し出される使用者の手Ｗの押圧によって伸縮するようになっている。
次に、第１実施形態の腕マッサージ部５の移動機構について、図面を基に説明する。なお、以下の説明においても、左肘掛け部３Ｌ、及び左腕マッサージ部５Ｌに着目して、説明する。
【００３０】
図３に示すように、左腕マッサージ部５Ｌは、左肘掛け部３Ｌ内に収容されている「格納位置」から、左肘掛け部３Ｌの上方に突出し且つ後方側に移動した位置であって、開口部７からの手Ｗ及び／又は前腕Ｖの挿し込みが可能とされる「第１マッサージ位置」、乃至は、左肘掛け部３Ｌの上方に突出した位置であって、開口部７からの手Ｗ及び／又は前腕Ｖの挿し込みが可能とされる「第２マッサージ位置」に移動するように構成されている。
【００３１】
言い換えれば、「第１マッサージ位置」とは、左腕マッサージ部５Ｌが「格納位置」から、上方且つ後方へ引き出された位置のことであり、「第２マッサージ位置」とは、左腕マッサージ部５Ｌが「格納位置」から、上方へ引き上げられた位置のことである。これら「格納位置」、「第１マッサージ位置」、「第２マッサージ位置」の詳細は後述する。
上述した左腕マッサージ部５Ｌの移動を実現するために、左腕マッサージ部５Ｌは、連結部材２０を介して左肘掛け部３Ｌに連結されていて、この連結部材２０によって左腕マッサージ部５Ｌが左肘掛け部３Ｌの上方に突出し且つ後方側に移動するようになっている。
【００３２】
連結部材２０は、長尺の板状片であって、両端部に孔部２１ａ，２１ｂが形成されている。また、連結部材２０の両端部は、孔部２１ａ，２１ｂと略同心のアール状に形成されている。この連結部材２０は、一方側端部の孔部２１ａが左腕マッサージ部５Ｌの先端部に形成された円筒状（又は円柱状）のボス部２４に嵌り込んだ上で、連結部材２０が左右方向軸心周りに揺動乃至は回動自在に枢支されていると共に、他方側端部の孔部２１ｂが左肘掛け部３Ｌに形成された円筒状（又は円柱状）のボス部２５に嵌り込んだ上で、連結部材２０が左右方向軸心周りに揺動乃至は回動自在に枢支されている。
【００３３】
具体的には、左腕マッサージ部５Ｌの先端部の下側には、左腕マッサージ部５Ｌの長手方向を向くスリット状の切れ込み部２２が形成されており、この切れ込み部２２を貫通するように、連結部材２０が下方側から左腕マッサージ部５Ｌの内部へと挿入されている。このスリット状の切れ込み部２２は、前後方向に細長く形成された長孔であって、左腕マッサージ部５Ｌに枢支された連結部材２０の揺動を妨げない長さに形成されている。連結部材２０の一方側端部は、左腕マッサージ部５Ｌが「格納位置」にあるとき、他方側端部よりも前方に存在している。
【００３４】
連結部材２０の一方側端部の孔部２１ａは、左腕マッサージ部５Ｌの先端部に形成されているボス部２４に嵌り込み左右方向軸心周りに揺動自在に枢支されている。この孔部２１ａの内周面には、左腕マッサージ部５Ｌの揺動の範囲を規制する凸片２３ａが形成されている。そして、ボス部２４の外周縁であって孔部２１ａの一方側の凸片２３ａに対応する部位には、左腕マッサージ部５Ｌの移動を規制する凹状の移動規制部２６が形成されている。この移動規制部２６に一方側の凸片２３ａが嵌り込んでおり、一方側の凸片２３ａが移動規制部２６の範囲内を摺動することで、左腕マッサージ部５Ｌの移動する範囲を限定している。
【００３５】
一方、連結部材２０の他方側端部は、左腕マッサージ部５Ｌの前後方向中央のほぼ真下に当たる左肘掛け部３Ｌに枢支されている。
具体的には、連結部材２０の他方側端部の孔部２１ｂは、固定端側である左肘掛け部３Ｌの前方上部に形成されているボス部２５に揺動自在に枢支されている。この孔部２１ｂの内周面には、連結部材２０の揺動の範囲を規制する凸片２３ｂが形成されている。そして、ボス部２５の外周縁であって孔部２１ｂの他方側の凸片２３ｂに対応する部位には、連結部材２０の揺動を規制する凹状の揺動規制部２７が形成されている。この揺動規制部２７に他方側の凸片２３ｂが嵌り込んでおり、他方側の凸片２３ｂが揺動規制部２７の範囲内を摺動することで、連結部材２０の揺動する範囲を限定している。連結部材２０の揺動する範囲を限定することで、左腕マッサージ部５Ｌが後方向へ移動しすぎないように規制をしている。また、連結部材２０の揺動する範囲を限定することで、左腕マッサージ部５Ｌが左肘掛け部３Ｌ内部に落ち込まないようにもなっている。
【００３６】
すなわち、この連結部材２０は、側面視で、当該左肘掛け部３Ｌの前後方向に対して略前方（本実施形態では、斜め前方）を向く位置から略垂直（本実施形態では、斜め上方）を向く位置まで揺動可能とされている。言い換えれば、連結部材２０の一方側端部（孔部２１ａ）が、固定端側である左肘掛け部３Ｌに形成されているボス部２５の軸心回りを揺動するようになっているともいえる。
【００３７】
このように、左肘掛け部３Ｌと左腕マッサージ部５Ｌとに連結された連結部材２０の揺動によって、左腕マッサージ部５Ｌが上方及び／又は後方向へ移動することで、左肘掛け部３Ｌ内に収容された「格納位置」から、左肘掛け部３Ｌから上方に突出して開口部７からの手Ｗ及び／又は前腕Ｖの挿し込みが可能とされると共に腕のマッサージが可能となる「第２マッサージ位置」、さらには、左肘掛け部３Ｌから上方に突出し且つ後方側移動して開口部７からの手Ｗ及び／又は前腕Ｖの挿し込みが可能とされると共に腕のマッサージが可能となる「第１マッサージ位置」に移行する。また、左腕マッサージ部５Ｌの開口部７及び側方開口部８は、左腕マッサージ部５Ｌがマッサージ位置に移動したときに開口してマッサージが可能となる構成となっている。また、孔部２１ａに形成された凸片２３ａと、ボス部２４に形成された凹状の揺動規制部２６とが係合し、左腕マッサージ部５Ｌの移動を規制することで、使用者に良好なマッサージ位置を提供することができる。
【００３８】
次に、この連結部材２０が揺動する様子、すなわち左腕マッサージ部５Ｌの移動態様について、図を基に説明する。
図３は、左腕マッサージ部５Ｌが「格納位置」から「第２マッサージ位置」を経て、「第１マッサージ位置」に移動する様子を示した側方断面図である。
図３（ａ）に示すように、左腕マッサージ部５Ｌが左肘掛け部３Ｌ内に収容された「格納位置」では、連結部材２０は左肘掛け部３Ｌの前後方向に対してやや斜め前を向いており、左腕マッサージ部５Ｌの切り込み部に連結部材２０の中途部まで挿入された状態である。また、左腕マッサージ部５Ｌの開口部７は、後方向を向いた状態である。
【００３９】
このとき、連結部材２０の一方側の凸片２３ａは、移動規制部２６の一端に係合されており、左腕マッサージ部５Ｌが左肘掛け部３Ｌ内に落ち込まないようになっている。一方で、連結部材２０の他方側の凸片２３ｂは、揺動規制部２７の一端に係合されており、連結部材２０が下降しないようになっている。つまり、「格納位置」での連結部材２０の位置は、左肘掛け部３Ｌに形成されているボス部２５回りに回転（揺動）していない。
【００４０】
図３（ｂ）に示すように、「第２マッサージ位置」は、左腕マッサージ部５Ｌが連結部材２０の孔部２１ａに嵌り込んだボス部２４回り（図３（ｂ）では、反時計回りに回転）に回転し、左腕マッサージ部５Ｌが左肘掛け部３Ｌの前側上方に突出した状態（左腕マッサージ部５Ｌが持ち上げられた状態）である。言い換えれば、「第２マッサージ位置」での左腕マッサージ部５Ｌは、開口部７が後斜め上方を向き、先端部が左肘掛け部３Ｌの前部に入り込んだ状態である。
【００４１】
この「第２マッサージ位置」では、連結部材２０は「格納位置」と同じ左肘掛け部３Ｌの前後方向に対してやや斜め前を向いている。「第２マッサージ位置」での連結部材２０の位置は、「格納位置」と同様であって、左肘掛け部３Ｌに形成されているボス部２５回りに回転（揺動）していない。
このとき、移動規制部２６は、一方側の凸片２３ａの係合を解除し、一方側の凸片２３ａと面接触して摺動している。一方で、他方側の凸片２３ｂは、「格納位置」と同様に、揺動規制部２７の一端に係合されており、連結部材２０が下降しないようになっている。
【００４２】
つまり、「第２マッサージ位置」は、座部２に着座した使用者が背もたれ部４を後方に傾斜（リクライニング）させないときに、左右の腕マッサージ部５Ｌ，５Ｒを持ち上げて、その左右の腕マッサージ部５Ｌ，５Ｒに手Ｗ及び／又は前腕Ｖを挿し込んでマッサージする位置のことである。
図３（ｃ）に示すように、「第１マッサージ位置」は、連結部材２０が左肘掛け部３Ｌに形成されているボス部２５回りに回転すると共に、左腕マッサージ部５Ｌが連結部材２０の孔部２１ａに嵌り込んだボス部２４回りに回転し、「第２マッサージ位置」に位置する左腕マッサージ部５Ｌを後方に移動させた状態（左腕マッサージ部５Ｌを左肘掛け部３Ｌの後部にスライドさせた状態）である。
【００４３】
この「第１マッサージ位置」では、連結部材２０は左肘掛け部３Ｌの前後方向に対して起立するような状態であり、連結部材２０の一方側端部が他方側端部に対して上方に位置するようになっている。この連結部材２０は、左肘掛け部３Ｌに形成されているボス部２５回りに後側に回転する（図３（ｃ）では、時計回りに回転）。また、左腕マッサージ部５Ｌは、ボス部２５回りに前側に回転する（図３（ｂ）では、反時計回りに回転）。すなわち、左腕マッサージ部５Ｌは、開口部７が後斜め上方を向き、開口部７が左肘掛け部３Ｌの上部に対して上下方向でオーバーラップした状態である。
【００４４】
係る状態において、孔部２１ａに形成された凸片２３ａと、ボス部２４に形成された凹状の揺動規制部２６とが係合することで、左腕マッサージ部５Ｌが更に上方へ移動しないようになっている。合わせて、孔部２１ｂに形成された凸片２３ｂと、ボス部２５に形成された凹状の揺動規制部２７とが係合することで、左腕マッサージ部５Ｌが更に後方へ移動しないようになっている。
【００４５】
つまり、「第１マッサージ位置」は、座部２に着座した使用者が背もたれ部４を後方に傾斜（リクライニング）させたときに、左右の腕マッサージ部５Ｌ，５Ｒを持ち上げつつ後方に移動させて、その左右の腕マッサージ部５Ｌ，５Ｒに手Ｗ及び／又は前腕Ｖを挿し
込んでマッサージする位置のことである。
なお、右腕マッサージ部５Ｒは、左腕マッサージ部５Ｌを左右反転した配置で配備されていて、内部構造は略同様であるので、説明は省略する。
【００４６】
以上述べたように、第１実施形態の椅子型マッサージ機１は、連結部材２０を介して、腕マッサージ部５と肘掛け部３とを連結することにより、背もたれ部４を後方にリクライニングさせた際に、挿し込まれた使用者の手Ｗ及び／又は前腕Ｖがマッサージから離脱することを防ぐことができる。言い換えれば、第１実施形態の椅子型マッサージ機１は、使用者の手Ｗ及び／又は前腕Ｖのマッサージと使用者の背部のマッサージを同時に行うことができる。つまり、使用者の着座状態（使用者の上半身が起きているか、又は使用者が仰向けになっているか（言い換えれば、リクライニングしているか否か））によって、腕マッサージ部５のマッサージ位置を自由自在の変更することができる。
【００４７】
また、腕マッサージ部５の移動機構を、連結部材２０を介して、腕マッサージ部５と肘掛け部３とを連結するといった簡単な構成にすることで、製造コストを抑えつつも、使用者がリラックスした姿勢で手Ｗ及び／又は前腕Ｖのマッサージを受けることができる。
［第２実施形態］
次に、本発明に係る椅子型マッサージ機１の第２実施形態について、図を基に説明する。
【００４８】
図４に示すように、第２実施形態の椅子型マッサージ機１は、左腕マッサージ部５Ｌが後方に移動する、つまり連結部材２０の揺動によって、左腕マッサージ部５Ｌが後方にスライドするものとなっている。なお、右腕マッサージ部５Ｒの構成及びその動きは左腕マッサージ部５Ｌと略同様であるため、以降では、左腕マッサージ部５Ｌに限定して説明を進める、すなわち、右腕マッサージ部５Ｒは、後方にスライドすることで後方に移動するものとなっている。
【００４９】
図４に示すように、第２実施形態の椅子型マッサージ機１は、格納位置に位置する左腕マッサージ部５Ｌの開口部７に対面する左肘掛け部３Ｌに当該開口部７より後方が切り取られてなる切り欠き部２８が形成され、連結部材２０の取付位置が第１実施形態に備えられた位置とは異なった位置に配備されたものとなっている。なお、第２実施形態に係る椅子型マッサージ機１の他の構成は、第１実施形態の椅子型マッサージ機１（図１参照）と略同じである。
【００５０】
図４に示すように、切り欠き部２８は、左肘掛け部３Ｌの外壁面より内側に設けられており、座部２に向かって（幅方向内側に向かって）開放状に形成されている。この切り欠き部２８は、左腕マッサージ部５Ｌの開口部７から後方に向かって形成された所定の広さの空間であって、左腕マッサージ部５Ｌを後方に移動させることのできる空間となっている。
【００５１】
また、切り欠き部２８を構成する後側壁２８ａ（前後方向での後側の内側壁）は、座部２の上面近傍から上方に向かって開くように傾斜している。つまり、切り欠き部２８は、側面視で扇状の空間となっており、肘及び前腕Ｖを傾斜した後側壁２８ａに沿うように移動させることで、左腕マッサージ部５Ｌに前腕Ｖをスムーズに挿入することができる。
なお、切り欠き部２８（すなわち、所定の広さの開放空間）は、左腕マッサージ部５Ｌから手Ｗ及び／又は前腕Ｖをスムーズに離脱させることができるようになっていれば、切り欠き部２８の広さ及び大きさは問わない。
【００５２】
一方、連結部材２０は、側面視で、当該左肘掛け部３Ｌの前後方向に対してやや前方を向く位置からやや後方を向く位置まで揺動可能とされている。言い換えれば、連結部材２０の一方側端部が、固定端側である左肘掛け部３Ｌに形成されたボス部２５の軸心回りを揺動するようになっているともいえる。なお、連結部材２０における他の構成は、第１実施形態の連結部材２０と同様であるので、説明は省略する。
【００５３】
次に、この連結部材２０が揺動する様子、すなわち左腕マッサージ部５Ｌの移動態様について、図を基に説明する。
図４に示すように、左腕マッサージ部５Ｌは、左肘掛け部３Ｌ内に収容されている「格納位置」から、左肘掛け部３Ｌ内の後方側に移動した位置であって、開口部７からの手Ｗ及び／又は前腕Ｖの挿し込みが可能とされる「第３マッサージ位置」に移動するように構成されている。
【００５４】
図４（ａ）に示すように、左腕マッサージ部５Ｌが左肘掛け部３Ｌ内に収容された「格納位置」では、連結部材２０は左肘掛け部３Ｌの前後方向に対してやや斜め前を向いた状態である。
図４（ｂ）に示すように、「第３マッサージ位置」は、連結部材２０が左肘掛け部３Ｌに形成されているボス部２５回り（図４（ｂ）では、反時計回りに回転）に揺動し、左腕マッサージ部５Ｌが左肘掛け部３Ｌの後方に移動した状態（左腕マッサージ部５Ｌが後方にスライドした状態）である。言い換えれば、「第３マッサージ位置」での左腕マッサージ部５Ｌは、左肘掛け部３Ｌの上辺に沿って後方に移動した状態である。この状態において、使用者は左腕マッサージ部５Ｌに左腕を差し入れて、手Ｗ及び／又は前腕Ｖのマッサージを行うことができる。なお、左腕マッサージ部５Ｌの開口の後方には、切り欠き部２８が形成されているため、左腕マッサージ部５Ｌに前腕Ｖをスムーズに挿入することが可能となっている。
【００５５】
なお、図４（ｂ）の位置から、図４（ｃ）のように左腕マッサージ部５Ｌを上方へ引き上げ、左腕マッサージ部５Ｌを第１マッサージ位置にすることも可能である。上方へ引き上げられた位置では、左腕マッサージ部５Ｌの揺動の範囲を規制する凸片２３ａが移動規制部２６へ当接し、更なる上方移動が規制される。
図４（ｃ）の位置では、左腕マッサージ部５Ｌに前腕Ｖを更にスムーズに挿入することが可能となる。
【００５６】
以上述べたように、第２実施形態の椅子型マッサージ機１は、連結部材２０を介して、腕マッサージ部５と肘掛け部３とを連結し、肘掛け部３に切り欠き部２８を形成することにより、背もたれ部４を後方にリクライニングさせた際に、挿し込まれた使用者の手Ｗ及び／又は前腕Ｖがマッサージから離脱することを防ぐことができる。
［第３実施形態］
次に、本発明の椅子型マッサージ機１における第３実施形態について、図を参照して説明する。言い換えれば、第３実施形態は、第２実施形態の変形例と考えることができる。
【００５７】
図５に示すように、第３実施形態に係る椅子型マッサージ機１は、左腕マッサージ部５Ｌの先端部にボス部２９が形成され、固定側とされる左肘掛け部３Ｌに左腕マッサージ部５Ｌの移動を案内する案内レール３０が備えられている。なお、第３実施形態に係る椅子型マッサージ機１の他の構成は、第１実施形態と略同じものとなっている。
ボス部２９は、左腕マッサージ部５Ｌの幅方向外側壁に形成された円筒状（又は円柱状）の枢支部材であって、左腕マッサージ部５Ｌの幅方向外側壁からさらに幅方向外側に向かって突出している。このボス部２９に対面する左肘掛け部３Ｌにはボス部２９を前後方向に摺動自在に枢支する案内レール３０が備えられている。
【００５８】
案内レール３０は、左肘掛け部３Ｌの内壁面に備えられ、左腕マッサージ部５Ｌを前後方向に案内するようになっている。案内レール３０は、板状であって、前後方向に長い略長方形状に形成されている。案内レール３０の中央には、前後方向に長い長溝３１が形成され、長溝３１に左腕マッサージ部５Ｌの先端部に形成されたボス部２９が摺動自在に嵌り込んでいる。なお、左肘掛け部３Ｌに形成されている切り欠き部２８の説明については、第２実施形態と同様であるので、省略する。
【００５９】
次に、このボス部２９が移動（摺動）する様子、すなわち左腕マッサージ部５Ｌの移動態様について、図を基に説明する。
図５は、左腕マッサージ部５Ｌが「格納位置」から「第３マッサージ位置」に移動する様子を示した側方断面図である。
図５（ａ）に示すように、左腕マッサージ部５Ｌが左肘掛け部３Ｌ内に収容された「格納位置」では、ボス部２９は案内レール３０に形成された長溝３１の前端部に位置した状態である。
【００６０】
図５（ｂ）に示すように、「第３マッサージ位置」は、ボス部２９が長溝３１内を摺動しながら、この長溝３１の後端部に移動し、左腕マッサージ部５Ｌが左肘掛け部３Ｌの後方に移動した状態（左腕マッサージ部５Ｌが後方にスライドした状態）である。言い換えれば、「第３マッサージ位置」での左腕マッサージ部５Ｌは、左肘掛け部３Ｌの上辺に沿って後方に移動した状態である。この状態において、使用者は左腕マッサージ部５Ｌに左腕を差し入れて、手Ｗ及び／又は前腕Ｖのマッサージを行うことができる。なお、左腕マッサージ部５Ｌの開口部７の後方には、切り欠き部２８が形成されているため、左腕マッサージ部５Ｌに前腕Ｖをスムーズに挿入することが可能となっている。
【００６１】
なお、図５（ｂ）の位置から、図５（ｃ）のように左腕マッサージ部５Ｌを上方へ引き上げ、左腕マッサージ部５Ｌを第１マッサージ位置にすることも可能である。図５（ｃ）の位置では、左腕マッサージ部５Ｌに前腕Ｖを更にスムーズに挿入することが可能となる。
なお、右腕マッサージ部５Ｒは、左腕マッサージ部５Ｌを左右反転した配置で配備されていて、内部構造は略同様であるので、説明は省略する。
【００６２】
以上述べたように、第３実施形態（第２実施形態の変形例）に係る椅子型マッサージ機１は、腕マッサージ部５の先端部にボス部２９を設けると共に、そのボス部２９が摺動自在に嵌り込むことができる長溝３１が形成された案内レール３０を肘掛け部３に備えることにより、背もたれ部４を後方にリクライニングさせた際に、腕マッサージ部５を後方に移動させる（案内する）ことができる。それゆえ、挿し込まれた使用者の手Ｗ及び／又は前腕Ｖがマッサージから離脱することを防ぐことができる。また、腕マッサージ部５の移動機構を、案内レール３０を介して、腕マッサージ部５と肘掛け部３とを連結するといった簡単な構成にすることで、製造コストを抑えつつも、使用者がリラックスした姿勢で手Ｗ及び／又は前腕Ｖのマッサージを受けることができる。
【００６３】
なお、今回開示された実施形態はすべての点で例示であって制限的なものではないと考えられるべきである。
例えば、第１実施形態の連結部材２０は、両端部に孔部２１ａ，２１ｂが形成されている長尺の板片を用いているが、腕マッサージ部５を肘掛け部３の上方に持ち上げつつ後方に移動させることができるものであれば、形状は問わない。また、連結部材２０の配置についても、腕マッサージ部５を肘掛け部３の上方に持ち上げつつ後方に移動させることができるものであれば、形状は問わない。
【００６４】
また、上記した第１実施形態では、左腕マッサージ部５Ｌの「第２マッサージ位置」を、「格納位置」から「第１マッサージ位置」へと移動する途中に存在する位置（中間位置）として説明した。しかしながら、左腕マッサージ部５Ｌを直接、上方且つ後方へ引き出すように操作することで、「格納位置」から「第２マッサージ位置」を経ずに「第１マッサージ位置」へと移行させることもできる。
【００６５】
すなわち、第１実施形態の椅子型マッサージ機１は、連結部材２０の一方側端部に対する腕マッサージ部５の揺動により、腕マッサージ部５が「格納位置」から「第２マッサージ位置」へと移行し、連結部材２０の他方側端部に対する腕マッサージ部５の揺動により、腕マッサージ部５が「第２マッサージ位置」から「第１マッサージ位置」へと移行し、連結部材２０の一方端側及び他方側端部に対する腕マッサージ部５の揺動により、腕マッサージ部５が「格納位置」から「第１マッサージ位置」へと移行するように構成されている。
【００６６】
また、上記した第１実施形態では、背もたれ部４をリクライニング状態にしたときに、左腕マッサージ部５Ｌを「第１マッサージ位置」へと移動させる旨の説明をしたが、背もたれ部４が非リクライニング状態の際に、左腕マッサージ部５Ｌを「第１マッサージ位置」へと移動させても何ら問題はない。
また、第２実施形態及び第３実施形態では、背もたれ部４をリクライニング状態にしたときに、左腕マッサージ部５Ｌを「格納位置」から「第３マッサージ位置」へと移動させる旨を説明したが、左腕マッサージ部５Ｌを「格納位置」から「第２マッサージ位置」に移動させてから「第３マッサージ位置」へと移動させても何ら問題はない。
【００６７】
特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００６８】
１    椅子型マッサージ機
２    座部
３    肘掛け部
３Ｌ  左肘掛け部
３Ｒ  右肘掛け部
４    背もたれ部
５    腕マッサージ部
５Ｌ  左腕マッサージ部
５Ｒ  右腕マッサージ部
６    支持フレーム
７    開口部
８    側方開口部
９    収容部
１０  第２エアバッグ
１１  第１エアバッグ
１２  側板
１３  マッサージ部
１４  覆い体
２０  連結部材
２１ａ  孔部（一方側）
２１ｂ  孔部（他方側）
２２  切れ込み部
２３ａ  凸片（一方側）
２３ｂ  凸片（他方側）
２４  ボス部（腕マッサージ部側の枢支軸）
２５  ボス部（肘掛け部側の枢支軸）
２６  移動規制部（腕マッサージ部側）
２７  揺動規制部（肘掛け部側）
２８  切り欠き部
２８ａ  後側壁
２９  ボス部（腕マッサージ部の先端部）
３０  案内レール
３１  長溝
Ｖ    前腕
Ｗ    手
【図１】
2015016158.tif 000003
【図２】
2015016158.tif 000004
【図３】
2015016158.tif 000005
【図４】
2015016158.tif 000006
【図５】
2015016158.tif 000007